(57)【特許請求の範囲】
【請求項１】
軸筒の先端に出没可能なスライド部材を有するシャープペンシルであって、そのスライド部材の後方に弾撥部材を配置し、前記スライド部材を前記弾撥部材によって前方に付勢すると共に、スライド部材の軸筒への収納状態を維持する係止手段を軸筒の内部に配置し、その係止手段に係止するゴム状弾性体を前記スライド部材の外周面に嵌着し、また、軸筒の前方に芯の把時・開放を行うチャック体を配置すると共に、そのチャック体を前記スライド部材に当接せしめ、その当接動作によって、前記係止手段の係止解除をなしたことを特徴とするシャープペンシル。
【請求項２】
前記スライド部材の中間部に外面円錐部を形成すると共に、その外面円錐部と当接する内面円錐部を前記軸筒の前方内面に形成したことを特徴とする請求項１記載のシャープペンシル。
【発明の詳細な説明】
【０００１】
【発明の属する技術分野】
本発明は軸筒の先端に出没可能なスライド部材を有するシャープペンシルに関する。
【０００２】
【従来の技術】
１例として、外軸内にシャープペンシルユニットを配置し、そのシャープペンシルユニットを後方から押圧することによって、先端を突出させるシャープペンシルがある。その代表例が、実開昭６３−１８０２８３号公報である。その公報の実用新案登録請求の範囲には、「外軸に先端パイプを備えた内部構造体の中軸を外軸内段部と中軸と止部の間にスプリングを設けて収納し、前記中軸のスリーブ後端部に芯圧調整する弾性部を設け、中軸の後方に中軸が当接するノック棒の押し部を収納したカム筒を外軸に内挿し、かつカム筒を外軸後端の固定筒で固定し、更に回転カムの下端面に当接してこれを付勢するスプリングを設けたことを特徴とするダブルノックシャープペンシル。」と記載されている。いわいる、デビットカムと称されるカム機構を介して中軸（シャープペンシルユニット）を前後動させ、その中軸の先端を外軸の先端から出没させる考案である。
【０００３】
【発明が解決しようとする課題】
しかし、上記の従来技術にあっては、中軸を外軸の先端から突出させるためには、ノック部を少なくとも前記中軸の突出量と同量押圧しなければならず、しかも、中軸の外軸に対する係止・解除動作も行わなくてはならず、その為、中軸の突出量以上に前記ノック部を押圧しなければならなかった。その結果、前記の押圧操作が面倒なばかりでなく、中軸の収納状態においては、前記ノック部が外軸の後端からかなり突出した状態になってしまい、著しく見栄えを悪くしてしまうものであった。
【０００４】
【課題を解決するための手段】
本発明は、軸筒の先端に出没可能なスライド部材を有するシャープペンシルであって、そのスライド部材の後方に弾撥部材を配置し、前記スライド部材を前記弾撥部材によって前方に付勢すると共に、スライド部材の軸筒への収納状態を維持する係止手段を軸筒の内部に配置し、その係止手段に係止するゴム状弾性体を前記スライド部材の外周面に嵌着し、また、軸筒の前方に芯の把時・開放を行うチャック体を配置すると共に、そのチャック体を前記スライド部材に当接せしめ、その当接動作によって、前記係止手段の係止解除をなしたことを要旨とする。
【０００５】
【作用】
係止解除後、スライド部材は、弾撥部材の力によって軸筒から突出する。
【０００６】
【実施例】
１例を図１に示し説明する。軸筒１の内部には、芯タンク２が前後動自在に配置されており、その芯タンク２の後端には、芯タンク２の蓋ともなるノック部材が着脱自在に取り付けられている。勿論、そのノック部材は、前記軸筒１の後端から突出している。
一方、芯タンク２の前端には、継ぎ手３を介してチャック体４が固定されている。そして、そのチャック体４の前方外周には、チャック体４の開閉を行うチャックリング５が遊挿しているが、そのチャックリング５は、中継ぎ部材６の内周凹部７に前後動可能な状態で位置している。符号８は、内周凹部７の前方に固定されたリング部材であって、前記チャックリング５の前進位置を規制している。即ち、チャックリング５が、リング部材８に当接すると、チャック体４の拡開がなされ、把持していた芯が解放される。
尚、前記中継ぎ部材６は、後方部に鍔部９を有しており、その鍔部９は前記軸筒１の前端部と、軸筒１の前端に螺着された先部材１０の段部１１によって挟み込まれた状態となっている。つまり、鍔部９が軸筒１に挟み込まれ、固定されることによって、中継ぎ部材６自体が軸筒１に固定されているのである。
符号１２は、前記芯タンク２やチャック体５を後方に付勢するコイルスプリングなどの弾撥部材である。
【０００７】
また、前記チャック体４の前方には、スライド部材１３が配置されているが、そのスライド部材１３の後方部には、筒状部１３ａが延設されており、前記中継ぎ部材６の前方部、並びに中間部を覆っている。そして、その筒状部１３ａの後部外周面には、ゴム状弾性体からなるＯリングが嵌着されており、前記軸筒１の前方内面に固定された突状の係止部材１５に係止している。尚、本実施例において、その係止部材１５は実際には、先部材１０の後部内面に固定されている。
一方、スライド部材１３の前方内側には、縮径部１６が形成されていて、その縮径部１６には芯の後退を阻止するゴム状弾性体からなる芯戻り止め部材１７が圧入・固定されているが、スライド部材１３に一体的に形成しても良い。尚、前記縮径部１６の直径は、前記チャック体４の前端部における外径よりも若干小さなものとなっている。即ち、チャック体４の前端面が、縮径部１６に当接し得るようになっているのである。また、縮径部１６の外周面近傍には、外面円錐部１８が形成されており、前記先部材１０の前方内面に形成されている内面円錐部１９に当接し得るようになっている。符号２０は、スライド部材１３の前端に固定された金属材質よりなる芯保護管であるが、スライド部材に一体に形成しても良い。また、符号２１は、スライド部材１３を前方に付勢するコイルスプリングなどの弾撥部材であるが、前記スライド部材１３のＯリング１４の係止部材１５に対する係止力よりも小さく設定されている。
尚、チャック体５が芯を解放するまでの距離Ａは、前記Ｏリング１４が係止部材１５から離脱する距離Ｂよりも短く設定されている。つまり、チャック体４が芯を解放した後に、チャック体４の前端がスライド部材１３の縮径部１６に当接し、次いで、Ｏリング１４が係止部材１５から離脱するのである。また、前記スライド部材１３の軸筒１先端からの突出長さＤは、ノック部材の押圧操作距離（Ｂ＋Ｃ（チャック体４の前端面が縮径部１６に当接するまでの距離）の距離）よりも長く設定されている。ちなみに、本例では約２倍程度の長さに設定されている。
【０００８】
次に動作について説明する。図示せずのノック部材を押圧すると、芯タンク２やチャック体４が前進する。チャック体４の前進に伴い芯も前進し、芯保護管２０の先端から突出するが、チャックリング５がリング部材８に当接すると、チャック体４が拡開し把持していた芯を解放する。ここで、更にチャック体４が前進すると、その前端が前記スライド部材１３の縮径部１６に当接し、スライド部材１３を前進せしめる。このスライド部材１３の前進に伴い、スライド部材１３のＯリング１４が係止部材１５から離脱する。この時、スライド部材１３は、弾撥部材２１の弾撥力によって、勢いよく軸筒１の先端から突出すると共に、スライド部材１３の外面円錐部１８が先部材１０の内面円錐部１９に嵌り込むように当接する。即ち、スライド部材１３の筒状部１３ａの長さにもよるが、ノック部材の押圧操作以上にスライド部材１３が前進し突出するのである。具体的に、本例のスライド部材１３においては、押圧操作距離の約２倍程度の長さ前進し突出する。尚、この時、芯は、芯戻り止め部材１７に軽く保持されているので、芯もスライド部材１３と共に引き出される。
ここで、ノック部材の押圧操作を解除すると、チャック体４が弾撥部材１２によって後退すると共に、チャックリング５によって閉鎖せしめられ、再び、芯を把持する。
スライド部材１３を軸筒１に収納する際には、再びノック部材を押圧操作し、チャック体４を拡開させ、その状態を維持させながらスライド部材１３の先端を机上などに軽く押し付ける。この動作によって、スライド部材１３は弾撥部材２１の弾撥力に抗しながらも後退し、やがて、スライド部材１３のＯリング１４が再び係止部材１５に係止する。
【０００９】
【発明の効果】
本発明は、軸筒の先端に出没可能なスライド部材を有するシャープペンシルであって、そのスライド部材の後方に弾撥部材を配置し、前記スライド部材を前記弾撥部材によって前方に付勢すると共に、スライド部材の軸筒への収納状態を維持する係止手段を軸筒の内部に配置し、その係止手段に係止するゴム状弾性体を前記スライド部材の外周面に嵌着し、また、軸筒の前方に芯の把時・開放を行うチャック体を配置すると共に、そのチャック体を前記スライド部材に当接せしめ、その当接動作によって、前記係止手段の係止解除をなしているので、スライド部材の突出操作が容易であり、また、デザイン上優れたシャープペンシルを提供することができる。
【図面の簡単な説明】
【図１】  本発明の１例を示す縦半断面図（収納状態）。
【図２】  動作を示す縦半断面図（突出状態）。
【符号の説明】
１      軸筒
２      芯タンク
３      継ぎ手
４      チャック体
５      チャックリング
６      中継ぎ部材
７      周状凹部
８      リング部材
９      鍔部
１０    先部材
１１    段部
１２    弾撥部材
１３    スライド部材
１３ａ  筒状部
１４    Ｏリング
１５    係止部材
１６    縮径部
１７    芯戻り止め部材
１８    外面円錐部
１９    内面円錐部
２０    芯保護管
２１    弾撥部材
【図１】
0004792654.tif 000002
【図２】
0004792654.tif 000003